(57)【特許請求の範囲】
【請求項１】
建物の外壁面側に該外壁面と境界との間の距離のほぼ半分の幅寸法で形成した目地部と、この目地部の開口部を覆うように前記建物の外壁面に形成された先端部が前記目地部の端部近傍に位置する目地プレートと、前記境界側の床躯体に前記目地プレートの下部をスライド移動するように設けられた、前記目地部の開口部を覆うスライドプレートと、このスライドプレートに加わる荷重を支持するとともに、該スライドプレートを前記建物の外壁面側へ常時付勢するスライドプレート支持機構とからなることを特徴とする境界用目地装置において、前記スライドプレート支持機構を目地部側に所定間隔で開口するように境界側の床躯体に埋設された複数個のガイドパイプと、これらのガイドパイプにそれぞれローラーを介してスライド移動可能で先端部がスライドプレートの先端部に取付けられたスライド軸と、これらのスライド軸を常時突出方向に付勢する付勢スプリングとで構成したことを特徴とする境界用目地装置。
【発明の詳細な説明】
【技術分野】
【０００１】
本発明は境界近くに設けられる境界用目地装置に関する。
【背景技術】
【０００２】
最近の免震建物のように大きな揺れ動きを吸収できるように構成された建物は、建物の外壁と境界との間に設ける境界用目地装置は、建物の外壁と境界までの距離が十分にないと、大きく揺れ動いた時、目地プレートが境界を越えて侵入してしまうという欠点があった。
この欠点を解消するために小さな目地プレートを用いると、目地部に隙間が生じて危険になるという欠点があった。
【特許文献１】特になし
【発明の開示】
【発明が解決しようとする課題】
【０００３】
本発明は以上のような従来の欠点に鑑み、建物が地震で大きく揺れ動いても、目地プレートが境界を越えたりするのを確実に防止することができるとともに、目地部が開口して危険になるのを確実に防止することができる、建物の外壁面から境界までの距離が比較的に小さくても設置することができる境界用目地装置を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は建物の外壁面側に該外壁面と境界との間の距離のほぼ半分の幅寸法で形成した目地部と、この目地部の開口部を覆うように前記建物の外壁面に形成された先端部が前記目地部の端部近傍に位置する目地プレートと、前記境界側の床躯体に前記目地プレートの下部をスライド移動するように設けられた、前記目地部の開口部を覆うスライドプレートと、このスライドプレートに加わる荷重を支持するとともに、該スライドプレートを前記建物の外壁面側へ常時付勢するスライドプレート支持機構とからなることを特徴とする境界用目地装置において、前記スライドプレート支持機構を目地部側に所定間隔で開口するように境界側の床躯体に埋設された複数個のガイドパイプと、これらのガイドパイプにそれぞれローラーを介してスライド移動可能で先端部がスライドプレートの先端部に取付けられたスライド軸と、これらのスライド軸を常時突出方向に付勢する付勢スプリングとで構成して境界用目地装置を構成している。
【発明の効果】
【０００６】
以上の説明から明らかなように、本発明にあっては次に列挙する効果が得られる。
【０００７】
（１）建物の外壁面側に該外壁面と境界との間の距離のほぼ半分の幅寸法で形成した目地部と、この目地部の開口部を覆うように前記建物の外壁面に形成された先端部が前記目地部の端部近傍に位置する目地プレートと、前記境界側の床躯体に前記目地プレートの下部をスライド移動するように設けられた、前記目地部の開口部を覆うスライドプレートと、このスライドプレートに加わる荷重を支持するとともに、該スライドプレートを前記建物の外壁面側へ常時付勢するスライドプレート支持機構とからなることを特徴とする境界用目地装置において、前記スライドプレート支持機構を目地部側に所定間隔で開口するように境界側の床躯体に埋設された複数個のガイドパイプと、これらのガイドパイプにそれぞれローラーを介してスライド移動可能で先端部がスライドプレートの先端部に取付けられたスライド軸と、これらのスライド軸を常時突出方向に付勢する付勢スプリングとで構成したので、地震で建物が、目地部がなくなるように大きく揺れ動いても、目地プレートの先端部が境界を越えたりするのを防止できる。
したがって、隣の土地の所有者とのトラブルを防止することができる。
【０００８】
（２）前記（１）によって、目地部が広くなるように建物が揺れ動いた場合、目地部に生ずる隙間をスライドプレートで覆うことができる。
したがって、目地部に隙間が生じることなく、安全に使用できる。
【０００９】
（３）前記（１）によって、境界側の床躯体に目地部を常時覆うことができるようにスライドプレート支持機構でスライドプレートを建物の外壁面側に付勢するので、構造が簡単で、容易に設置することができる。
【００１０】
（４）前記（１）によって、複数個のスライド軸をスムーズにスライド移動させることができ、かつスライドプレートを安全に支持することができる。
【発明を実施するための最良の形態】
【００１１】
以下、図面に示す本発明を実施するための最良の形態により、本発明を詳細に説明する。
【００１２】
図１ないし図７に示す本発明を実施するための最良の第１の形態において、１は本発明の境界用目地装置で、この境界用目地装置1は免震装置２が介装された建物３の外壁面４側に、該外壁面4と境界５との間の距離Lのほぼ半分の幅寸法で形成された目地部6と、この目地部６の開口部６ａを覆うように前記建物３の外壁面４に一体形成された先端部が前記目地部６の端部近傍まで位置する目地プレート７と、前記境界５側の床躯体８に前記目地プレート７の下部をスライド移動するように設けられた、前記目地部６の開口部６ａを覆う先端部が下方へ折り曲げられた取付部９を有する、人が乗ることが可能なスライドプレート１０と、このスライドプレート１０に加わる荷重を支持するとともに、該スライドプレート１０を前記建物３の外壁面４側へ常時付勢するスライドプレート支持機構１１とで構成されている。
【００１３】
前記スライドプレート支持機構１１は図４および図５に示すように、前記境界５側の床躯体８に前記目地部６に開口するように所定間隔で埋設された角パイプ材製の複数個のガイドパイプ１２と、この複数個のガイドパイプ１２の開口端部寄りの両内側面に取付けられたローラー１３、１３と、前記ガイドパイプ１２内にそれぞれスライド移動可能に取付けられた上部に前記ローラー１３、１３に支持される支持バー１４、１４を備える、角パイプ状で先端部が前記スライドプレート１０の先端部の取付部９にビス１５止めされる複数個のスライド軸１６と、この複数個のスライド軸１６の上端部の上下部に、前記ガイドパイプ１２内をスムーズにスライド移動できるように取付けられた上・下ローラー１７、１８と、前記複数個のスライド軸１６を常時突出させて、先端部を前記建物３の外壁面４に当接するように付勢する、前記ガイドパイプ１２のほぼ中央部に位置するように固定された軸１９に支持された一端部がガイドパイプ１２の内側端部に支持され、他端部がスライド軸１６の内側端部に支持される付勢スプリング２０と、前記複数個のスライド軸１６が前記ガイドパイプ１２より抜け脱するのを防止する支持バー１４、１４の端部に形成されたストッパー２１、２１とで構成されている。
【００１４】
上記構成の境界用目地装置１は通常時には図２に示すように、目地部６の開口部６ａを目地プレート７で覆った状態となっている。
地震で目地部６が図６に示すように、狭くなるように揺れ動くと目地部６の先端部は境界５方向へ移動するが、境界５より突出する前に目地部６がなくなり、突出することなくその揺れ動きが規制される。
この時、スライドプレート１０はスライドプレート支持機構１１の付勢スプリング２０の付勢力に抗して境界５方向へスライド移動し、スライドプレート１０、スライドプレート支持機構１１の損傷を防止する。
目地部６が図７に示すように、広くなるように揺れ動くと目地プレート７の先端部は目地部６内に位置するように移動するが、付勢スプリング２０によって、建物３の外壁面４に当接するように付勢された付勢スプリング２０によって、開口する目地部６をスライドプレート１０で覆い、開口部６ａが開口状態になるのを確実に防止する。
[発明を実施するための異なる形態]
【００１５】
次に、図８ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図８ないし図１０に示す本発明を実施するための第２の形態において、前記本発明を実施するための最良の第１の形態と主に異なる点は、建物３の外壁面４に目地プレートおよび植木鉢として使用できる突出躯体２２を使用するとともに、板状のスライドプレート１０の先端部にアングル状の取付け金具２３を固定し、スライド軸１６の先端部を固定したスライドプレート支持機構１１Ａを用いた点で、このように構成した境界用目地装置１Ａにしても、前記本発明を実施するための最良の第１の形態と同様な作用効果が得られる。
【００１７】
図１１ないし図１４に示す本発明を実施するための第３の形態において、前記本発明を実施するための最良の第１の形態と主に異なる点は、境界５側の床躯体８上に目地部６側が傾斜面２４に形成された浅皿状の固定目地プレート２５、この固定目地プレート２５内に充填されたモルタルやコンクリート２６、このモルタルやコンクリート２６の上部に敷設されたタイルや床板等の化粧床材２７とからなる固定目地プレート２８を固定するとともに、スライドプレート１０上をスライド移動および先端部が前記固定目地プレート２８へ乗り上がるように先端部が傾斜面２９に形成され、後端部が建物３の外壁面４に形成した支持凹部３０に上下移動可能に枢支ピン３１、３１で取付けられた可動目地プレート３２を用いた点で、このように構成した境界用目地装置１Ｂにしても、前記本発明を実施するための最良の第１の形態と同様な作用効果が得られる。
【００１８】
図１５ないし図１８に示す本発明を実施するための第４の形態において、前記本発明を実施するための第３の形態と主に異なる点は、スライド軸１６の間隔をガイドパイプ１２のほぼ肉厚分の間隔として、スライド軸１６にスライドプレートの役割を兼用させた点で、このように構成した境界用目地装置１Ｃにしても、スライド軸１６間の隙間が小さく、靴のヒール部分が入り込んだりするのを防止できるので、前記本発明を実施するための第３の形態と同様な作用効果が得られる。
【産業上の利用可能性】
【００１９】
本発明は境界用目地装置を製造する産業で利用される。
【図面の簡単な説明】
【００２０】
【図１】本発明を実施するための最良の第１の形態の概略平面図。
【図２】図１の２−２線に沿う断面図。
【図３】本発明を実施するための最良の第１の形態のスライドプレートの説明図。
【図４】本発明を実施するための最良の第１の形態のスライドプレート支持機構の説明図。
【図５】図４の５−５線に沿う断面図。
【図６】本発明を実施するための最良の第１の形態の目地部が狭くなった動作説明図。
【図７】本発明を実施するための最良の第１の形態の目地部が広くなった動作説明図。
【図８】本発明を実施するための第２の形態の概略平面図。
【図９】図８の９−９線に沿う断面図。
【図１０】本発明を実施するための第２の形態の目地部が狭くなった動作説明図。
【図１１】本発明を実施するための第３の形態の概略平面図。
【図１２】図１１の１２−１２線に沿う断面図。
【図１３】本発明を実施するための第３の形態の目地部が狭くなった動作説明図。
【図１４】本発明を実施するための第３の形態の目地部が広くなった動作説明図。
【図１５】本発明を実施するための第４の形態の概略平面図。
【図１６】図１５の１６−１６線に沿う断面図。
【図１７】本発明を実施するための第４の形態の目地部が広くなった場合の概略平面図。
【図１８】図１７の１８−１８線に沿う断面図。
【符号の説明】
【００２１】
１、１Ａ、１Ｂ、１Ｃ：境界用目地装置、
２：免震装置、      ３：建物、
４：外壁面、        ５：境界、  
Ｌ：距離、        ６：目地部、
７：目地プレート、      ８：床躯体、
９：取付部、        １０：スライドプレート、
１１、１１Ａ：スライドプレート支持機構、
１２：ガイドパイプ、    １３：ローラー、
１４：支持バー、      １５：ビス、
１６：スライド軸、      １７：上ローラー、
１８：下ローラー、      １９：軸、
２０：付勢スプリング、    ２１：ストッパー、
２２：突出躯体、      ２３：取付け金具、
２４：傾斜面、      ２５：固定目地プレート、
２６：モルタルやコンクリート、  ２７：化粧床材、
２８：固定目地プレート、    ２９：傾斜面、
３０：支持凹部、      ３１：枢支ピン、
３２：可動目地プレート。
【図１】
0004977081.tif 000002
【図２】
0004977081.tif 000003
【図３】
0004977081.tif 000004
【図４】
0004977081.tif 000005
【図５】
0004977081.tif 000006
【図６】
0004977081.tif 000007
【図７】
0004977081.tif 000008
【図８】
0004977081.tif 000009
【図９】
0004977081.tif 000010
【図１０】
0004977081.tif 000011
【図１１】
0004977081.tif 000012
【図１２】
0004977081.tif 000013
【図１３】
0004977081.tif 000014
【図１４】
0004977081.tif 000015
【図１５】
0004977081.tif 000016
【図１６】
0004977081.tif 000017
【図１７】
0004977081.tif 000018
【図１８】
0004977081.tif 000019